(57)【特許請求の範囲】
【請求項１】
前面に樹脂により形成された前板を有する外箱と、
この外箱の前面に形成された洗濯物投入口を開閉する扉と、
この外箱の内部に弾性支持され、前面に開口部を有する水槽と、
この水槽の内部に設けられ、洗濯物を収容して回転駆動するドラムとを有し、
前記外箱の前記前板には、この前板とは別体であって前記扉を外周から囲う投入口枠が前方から設けられ、
この投入口枠は、前記扉の外周に位置する環状の鍔部と、この鍔部の内方に扉を収容し中央に前記洗濯物投入口を形成する窪み部とを有し、
前記外箱の内部で前記水槽の前方に当該水槽から離れて位置し、金属により形成されて前記外箱に固定された取付枠と、
弾性材により筒状に形成されて前記水槽の前部と前記取付枠との間に取り付けられたベローとを有し、
前記投入口枠は、前記取付枠に前方からねじにより固定されていることを特徴とするドラム式洗濯機。
【発明の詳細な説明】
【技術分野】
【０００１】
本発明は、前面に扉を有するドラム式洗濯機に関する。
【背景技術】
【０００２】
従来より、一般的なドラム式洗濯機は、外箱内に貯水可能な水槽を弾性支持し、水槽内
には洗濯物が収容されるドラムが前記水槽の後面に装着されたモータにより回転可能に設
けられる構成をしている。
【０００３】
そして図６は、従来構成の具体的な洗濯物投入口部分、およびベロー取付構造を拡大し
て示す断面図で、外郭を形成する外箱１００の前面に洗濯物投入口１０１と、洗濯物投入
口１０１を開閉するための扉１０２が設けられており、その扉１０２は、ドラム式洗濯機
の前面パネル１０３の中央に円形状に設けられ前面パネル１０３と同一の樹脂材料で形成
された開口部材１０４に収納される構成をしている。
【０００４】
そして扉１０２の裏面側が、洗濯物投入口１０１の後方に設けられて水槽１０５まで接
続されたベロー１０６の起立部１０７に接触して閉鎖することで、扉１０２とベロー１０
６の接触部から前記水槽１０５までは水密になるように構成している。
【０００５】
そのベロー１０６の取付構造は、ベロー１０６の一端が水槽１０５の前端周囲に囲繞し
て水密接続されており、その他端は、外箱１００に固定された取付枠１０８とその前面に
設けられた挟持板１０９により挟持される構造をしており、前記開口部材１０４とベロー
１０６との間には外箱１００内に連通する隙間Ｂを有している（例えば、特許文献１参照
）。
【先行技術文献】
【特許文献】
【０００６】
【特許文献１】特開２００５−１４３７９５号公報
【発明の概要】
【発明が解決しようとする課題】
【０００７】
しかしながら、上述したドラム式洗濯機においては、開口部材１０４とベロー１０６と
の間には外箱１００内に連通する隙間Ｂを有している。
【０００８】
本発明は上記問題点を鑑みてなされたもので、外箱内への水の浸入を防止するドラム式
洗濯機を提供することを目的とする。
【課題を解決するための手段】
【０００９】
上記目的を達成するために、本発明に係わるドラム式洗濯機は、前面に樹脂により形成された前板を有する外箱と、この外箱の前面に形成された洗濯物投入口を開閉する扉と、この外箱の内部に弾性支持され、前面に開口部を有する水槽と、この水槽の内部に設けられ、洗濯物を収容して回転駆動するドラムとを有し、前記外箱の前記前板には、この前板とは別体であって前記扉を外周から囲う投入口枠が前方から設けられ、この投入口枠は、前記扉の外周に位置する環状の鍔部と、この鍔部の内方に扉を収容し中央に前記洗濯物投入口を形成する窪み部とを有し、前記外箱の内部で前記水槽の前方に当該水槽から離れて位置し、金属により形成されて前記外箱に固定された取付枠と、弾性材により筒状に形成されて前記水槽の前部と前記取付枠との間に取り付けられたベローとを有し、前記投入口枠は、前記取付枠に前方からねじにより固定されていることを主たる特徴とする。
【発明の効果】
【００１０】
本発明のドラム式洗濯機によれば、投入口枠と取付枠をねじにより固定したため、外箱
内への隙間が生ぜず、水の浸入を防止できる。
【図面の簡単な説明】
【００１１】
【図１】本発明の一実施例を示す洗濯物投入口部分およびベローの取付構造を拡大して示す断面図
【図２】本発明を適用したドラム式洗濯乾燥機の外観斜視図
【図３】扉が開放した状態の図２相当図
【図４】ドラム式洗濯乾燥機の全体構成を示す縦断側面図
【図５】ドラム式洗濯乾燥機の外箱背面を取り除いて内部構成を示す背面図
【図６】従来例を示す図１相当図。
【発明を実施するための形態】
【００１２】
以下、図面を用いて本発明のドラム式洗濯機をドラム式洗濯乾燥機に適用した一実施例
につき説明する。  
図１は、具体的構成を示す洗濯物投入口部分およびベローの取付構造を拡大して示す断
面図。図２は、ドラム式洗濯乾燥機の外観斜視図。図３は、扉を開放した状態の図２相当
図。図４は、ドラム式洗濯乾燥機の全体構成を示す縦断側面図。そして図５は、ドラム式
洗濯乾燥機の外箱背面を取除いて内部構成を示す背面図である。  
図２、図３、図４に示すように、ドラム式洗濯乾燥機は全体として矩形箱状をしており
、その外郭を形成する外箱１の前面部１ａには円形状の洗濯物投入口４を形成し、この洗
濯物投入口４には開閉可能な扉５が取り付けられている。  
そして外箱１内部には、水槽６が配設されていて、この水槽６は前面に開口部を有する
ドラム状を成すもので、外箱１の底面部に左右一対のサスペンション７（図５参照）を介
して横向きに弾性支持されており、その支持形態は、前面の開口部に向かって上昇傾斜す
る形状である。
【００１３】
この水槽６の前部には環状をなす水槽カバー６ａが設けられていて、後述するようにこ
の水槽カバー６ａと洗濯物投入口４との間がベロー８によって水密に連通接続されている
。  
水槽６の閉塞された底面を構成する後端面部６ｃ（図４中、右側の端面部）は十分な機
械的強度を有し、その背面にモータ１５が取付けられている。またその上部には、後述す
る給気口１６が形成されている。そのほか、水槽６の側面最底部には排水口１７が形成さ
れており、その下流には排水弁１８が取付けられ、その先には排水ホース１９が接続され
ている。また水槽６の上面には可撓性ホース２０が接続されており、この可撓性ホース２
０は外箱１の前方上部に設けられた洗剤ケース２１を介して後部の給水装置２２と繋がり
、給水装置２２の給水口２３と繋がっている。
【００１４】
また水槽６の内部には、所定の間隙を有して径小のドラム３０が配設されている。この
ドラム３０の閉塞された底面は、強度十分の板厚とした例えば金属製のドラム支え３０ｂ
として機能するように設けられている。このドラム支え３０ｂ中心部に取付けられたドラ
ムシャフト３０ｃは、水槽６の底部の中心部から前記モータ１５に取付けられている。こ
れにより、ドラム３０は、水槽６と同じ傾斜をもって水槽６に回転可能に支持される。 
また前記ドラム３０には、周壁部とドラム支え３０ｂのほぼ全域に通水および通風が可
能な多数の孔３１が設けられており（図４では一部のみ図示）、また胴部の内周部の数か
所にバッフル３２が取付けられている。  
またドラム３０の前部には、ドラムカバー３０ａが取り付けられている。このドラムカ
バー３０ａは、ドラム３０の開放された前面の周縁部に装着されたもので、中央部に洗濯
物出入口３３を有するリング状を成しており、耐熱材で構成されている。
【００１５】
また上記した水槽カバー６ａは、中央部に開口部を有するリング状を成して、鉄板やス
テンレス板等の金属、又はガラスや合成樹脂などの耐熱性である剛性材で構成されている
。  
この水槽カバー６ａは、その上部に排気口４０を形成しており、その外部には排気口４
０を覆い、連通する排気ダクト４１が設けられている。  
この排気ダクト４１は、水槽カバー６ａを囲繞するように環状に設けられており、その
排気ダクト４１の下部は、蛇腹状部を有する可撓性ダクト４２を介して、水槽６の下方に
設けられた乾燥ユニット用ダクト４３に接続されている。  
この乾燥ユニット用ダクト４３は外箱１内に前部から後方へ延びていて、その後部にフ
ァンケーシング４４が設けられている。ファンケーシング４４の上方に形成される吐出口
４５には、蛇腹状部を有する可撓性ダクト４６を介して給気ダクト４７に接続されている
。給気ダクト４７は、図５に示すように、モータ１５を囲繞するようにして、ドラム３０
の回転方向に沿ってほぼ円弧状に延びていて、その先端部が水槽６の後端面部６ｃの上部
において前記給気口１６と接続されている。
【００１６】
ここで、水槽カバー６ａの排気口４０に接続された排気ダクト４１、可撓性ダクト４２
、乾燥ユニット用ダクト４３、ファンケーシング４４、可撓性ダクト４６、そして、水槽
６の給気口１６に接続された給気ダクト４７により、水槽６内と連通した循環送風路４８
を構成している。循環送風路４８のうちファンケーシング４４内には、送風機４９を構成
するファン４９ａが配設され、ファンケーシング４４の外部にファンモータ４９ｂが配設
されている。  
乾燥ユニット用ダクト４３内には、ヒートポンプ機構５０の蒸発器（エバポレータ）５
１と凝縮器（コンデンサ）５２とが配設されている。ヒートポンプ機構５０は、周知のよ
うに、圧縮機（コンプレッサ）５３と、凝縮器５２と、図示しないキャピラリチューブ（
絞り）と、蒸発器５１を順にパイプによりサイクル状に接続して冷凍サイクルを構成する
もので、圧縮機５３を駆動することに伴い、冷媒がそれらを順に通って循環するようにな
っている。このとき、凝縮器５２においては、冷媒が熱を放出して液化するようになって
おり、この凝縮器５２は循環空気の加熱手段として機能する。また、蒸発器５１において
は、冷媒が蒸発する際に周囲の熱を奪うことにより周囲を冷却するようになっており、こ
の蒸発器５１は循環空気の冷却手段として機能する。そしてこの場合、送風機４９や凝縮
器５２および蒸発器５１等のヒートポンプ機構５０により乾燥機能手段を構成するもので
、これらは外箱１内において水槽６の下方に配設されており、従って、外箱１内の下部に
配置されている。また乾燥ユニット用ダクト４３に比して高さ方向に大きい圧縮機５３は
、外箱１の前面１ａに向かって上昇傾斜する水槽６の下方前方に配置されている。
【００１７】
ここで外箱１の前面部１ａおよびベロー８の取付手段を含む具体的構成を説明する。 
まず、前述したように外箱１の前面部１ａに開閉可能な扉５が取り付けられている。こ
の前面部１ａは、前板としての前面パネル２と、電源等のスイッチが配置された操作パネ
ル３とから構成されていて、それぞれ、安価なポリプロピレンで形成されている。
【００１８】
その前面部１ａの中央には、図１、図３に示すように前記扉５を収納する円形状で中央
が窪んだ形状の投入口枠６０が設けられている。この投入口枠６０は前面パネル２とは異
なる材質で形成されているものであって、ポリプロピレンより剛性が高く、線膨張率の小
さい例えばＡＢＳ樹脂で形成されており、前面パネル２と面一となる環形状の鍔部６１と
、鍔部６１の内方に、円形状をして中央に洗濯物投入口４が形成されている窪み部６２と
を一体に成形して構成される。またこの投入口枠６０は、前面パネル２と異なる色で彩色
されている。  
そしてこの前面パネル２には扉５の閉鎖状態を解除するオープンボタン６５（図２、３
参照）が備えてあり、プッシュすることにより扉５が開放されるようになっている。
【００１９】
また扉５は、図４に示すように、洗濯物投入口４の形状に合わせた円形の形状を有して
おり、その周端部が前記窪み部６２に配置されることで、前述した鍔部６１の内周側で投
入口枠６０に収納されて、扉５の閉鎖時には扉５の前面が前面パネル２と略面一になるよ
うに構成されている。  
そしてこの扉５の左側端部に取り付けられたヒンジ６３により手前に回動することによ
って、洗濯物投入口４を開閉するようになっている。また、この扉５の右側端部には閉鎖
状態保持用のフック６４が設けられている。  
更に、扉５の中央部は洗濯物投入口４と同程度の大きさの透視部である透視窓６６が設
けられている。この透視窓６６は、図４に示すように例えば扉５の前面に前面ガラス６７
と、扉５の後面に前面ガラス６７に平行に設けられた後面ガラス６８とによる２重構造を
なして構成されている。また前面ガラス６７の周縁には環状に前面パネル２と異なる色で
あって、前述した鍔部６１の色と同色に彩色されている。
【００２０】
一方、シール部材としてのベロー８は、図１、４に示すように例えば水槽６からの振動
を低減する弾性材で、耐薬品性にも優れたエチレン・プロピレン系の合成ゴム（略称ＥＰ
ＤＭ）で筒状に形成されており、その後方の取付後部８ａが前記水槽カバー６ａの前端部
に囲繞して、この取付後部８ａを環状のベローリング９にて取り付けられている。この取
付後部８ａの前方は蛇腹部状に形成されていて水槽６からの振動を吸収するように形成さ
れている。  
対してベロー８の前方は、洗濯物投入口４付近で内周方に延出されたリング状の起立部
８ｂが形成されていて、扉５の裏面たる後面ガラス６８が起立部８ｂに接触することで扉
５と水槽６を水密にする構成をしている。そしてこの起立部８ｂから外周方向に延出部８
ｃが延びて形成されている。
【００２１】
またこのベロー８の延出部８ｃの後方であって、水槽カバー６ａの前方には外箱１に固
定される取付枠６９が設けられている。この取付枠６９は、鉄板やステンレス板等の金属
などの耐熱性である剛性材で形成されており、前述した扉５のヒンジ６３（図３参照）の
一端が取り付けられている。
【００２２】
そしてベロー８は、延出部８ｃが、これら前述した投入口枠６０の窪み部６２と前記取
付枠６９に挟持され、そして投入口枠６０の前方からねじで延出部８ｃに形成されるねじ
孔８ｄに挿通し、さらに取付枠６９のねじ孔６９ａに締め付けることで固定され、もって
取付枠６９と投入口枠６０との間には隙間が無く水が入らない密閉した構成としている。
【００２３】
次に上記構成の作用を説明する。
【００２４】
まず、本来の洗濯乾燥機能としては、周知のように、洗い、すすぎ、脱水、乾燥行程を
実行するものである。
【００２５】
洗濯を行う場合には、扉５を開いて洗濯物（図示せず）を投入口枠６０の洗濯物投入口
４を介して、洗濯物出入口３３からドラム３０内に投入して収容する。そして洗剤ケース
２１内に洗剤を収容し、操作パネル３の操作ボタンにおいて、例えば標準コースが選択さ
れた場合には、図示しない制御装置が有する制御プログラムに基づき、洗い、すすぎ、脱
水、乾燥の各行程が自動的に行なわれる。  
洗い行程では、まず排水弁１８を閉じ、給水装置２２から水が洗剤ケース２１及び可撓
性ホース２０を介して水槽６内に供給されて貯留される。このとき、洗剤ケース２１内に
収容された洗剤も水と共に水槽６内に供給される。そして、モータ１５が駆動されて、ド
ラム３０が低速で正逆両方向に回転されることにより、ドラム３０内の洗濯物が洗われる
。この際、洗濯物と洗濯水をバッフル３２が順次かき上げ、洗濯物及び洗濯水の撹拌を促
進する。  
洗い行程が終了すると、排水弁１８を開放して水槽６内の水を排出した後、中間脱水を
行なう。中間脱水は、モータ１５によりドラム３０を一方向に高速回転させることによっ
て洗濯物に含まれた水を遠心力により孔３１から排出させて行われる。この中間脱水が終
了するとつづいてすすぎ行程が行われる。すすぎ行程は、給水時に洗剤を使用しないとこ
ろ以外は洗い行程と同様に行なわれる。すすぎ行程が終了すると、最終脱水行程が行なわ
れる。最終脱水行程は、中間脱水行程と同様に、水槽６内の水を排出した後、モータ１５
によりドラム３０を一方向に高速回転させることによって行われる。
【００２６】
この最終脱水行程が終了すると、次に乾燥行程が行なわれる。この乾燥行程では、モー
タ１５によりドラム３０を低速で正逆両方向に回転させると共に、送風機４９、及びヒー
トポンプ機構５０の圧縮機５３を駆動させる。このうち、送風機４９を駆動すると、ファ
ン４９ａの送風作用により、図４の実線の矢印Ａで示すように、乾燥ユニット用ダクト４
３内の空気がファンケーシング４４側に吸引されると共に、吐出口４５から可撓性ダクト
４６を介して給気ダクト４７側へ吐出される。
【００２７】
給気ダクト４７へ吐出された空気は、給気口１６から水槽６内へ供給される。水槽６内
へ供給された空気の多くは、ドラム３０の孔３１を通してドラム３０内に供給される。
【００２８】
ドラム３０内及び水槽６内の空気は、水槽６の開口部に向かって流れ、扉５の後面ガラ
ス６８やベロー８にぶつかり、水槽６前部の排気口４０から排気ダクト４１側へ排出され
る。排気ダクト４１側へ排出された空気は、下方の可撓性ダクト４２を通り、乾燥ユニッ
ト用ダクト４３に戻されるようにして循環される。
【００２９】
また、圧縮機５３が駆動されると、圧縮機５３から高温高圧の冷媒が凝縮器５２に流れ
、ここで放熱して液化する。このとき、乾燥ユニット用ダクト４３の凝縮器５２を通る空
気がその凝縮器５２により加熱される。また、液化した冷媒は、キャピラリチューブを通
過して減圧された後、蒸発器５１に流れ、ここで周囲の熱を奪って気化する。このとき、
乾燥ユニット用ダクト４３の蒸発器５１を通る空気がその蒸発器５１により冷却される。
【００３０】
蒸発器５１で気化した冷媒は圧縮機５３に戻り、再び圧縮されて高温高圧の冷媒となって
吐出される。
【００３１】
このようにして、凝縮器５２により加熱された温風が、ドラム３０内に供給されること
により、ドラム３０内の洗濯物を加熱すると共に、洗濯物の水分を奪い、洗濯物を乾燥さ
せる。そして、水分を奪った空気が、乾燥ユニット用ダクト４３の蒸発器５１を通る過程
で冷却されて、その空気に含まれる水分が凝縮して除湿される。除湿された空気が、再び
凝縮器５２を通る過程で加熱されて温風化され、温風がドラム３０内に供給されるという
ように循環する。このように水槽６内の空気が循環送風路４８を通して循環されることに
伴い、ドラム３０内の洗濯物が乾燥される。
【００３２】
以上により、洗濯、乾燥運転が終了する。
【００３３】
上記した実施形態によれば、次のような効果を得ることができる。
【００３４】
まず、ドラム式洗濯機の前面の洗濯物投入口４の外側であって扉５の外周に、前面パネ
ル２に比べ剛性の高い材料で形成した投入口枠６０を環状に設けたため、洗濯時に洗濯物
を水槽６内に洗濯物投入口４を介して出し入れする際に、洗濯物（特に衣類にジッパーな
ど固いもの）が洗濯物投入口４の周囲に位置する鍔部６１や窪み部６２に衝突接触した場
合でも傷がつきにくく、割れも発生しにくい為、その割れから外箱１内に水が浸入して、
内部の電装品やヒートポンプ機構５０に水がかかり故障することを確実に防止できる。
【００３５】
またドラム式洗濯機全体を剛性の材料で形成するのに比べ、衣類が接触衝突しやすい洗
濯物投入口４の周囲に鍔部６１や窪み部６２を有する投入口枠６０を設け、その投入口枠
６０を剛性材料（例えばＡＢＳ樹脂）とした為、必要な箇所だけを剛性にすることができ
、製造コストが安くなる。
【００３６】
また扉５の前面ガラス６７の周縁に施した色と、その外周囲に位置する投入口枠６０（
或は、少なくとも鍔部６１）とを同色とし、且つ前面パネル２とは異なる色に彩色したこ
とにより、使用者に扉５が大きく見えるような視覚的効果を与えることができ、もって洗
濯物投入口４も広く、洗濯物を取り出しやすいというイメージを抱かせることができる。
【００３７】
なお、前面ガラス６７の周縁に彩色がされておらず、当該透明なガラス自体が前面パネル
２と異色である場合は、鍔部６１はガラスと同色に彩色されていても同様な効果がある。
【００３８】
また例えば投入口枠６０の材料にステンレス等の金属を使用しても良い。この場合使用
者には高級感を感じさせることができる。
【００３９】
そして、鍔部６１と窪み部６２を一体に成形してなる投入口枠６０を前面パネル２に比
べて剛性の材料にて形成したため、洗濯物を水槽内に洗濯物投入口を介して出し入れする
際に、扉の外周に位置する鍔部から洗濯物投入口にかかる幅広い面積で洗濯物を受け入れ
ることができ、洗濯物投入口４の周囲を洗濯物が衝突したときの傷、割れから保護するこ
とができる。
【００４０】
また従来のドラム式洗濯機では、図６にて開示したように開口部材１０４とベロー１０
６の間に隙間Ｂを有しており、外箱１の外部からその隙間Ｂを通って、外箱１の内部に水
が浸入してしまい、外箱１の内部に設置してある要素部品などに水がかかり故障する恐れ
があった。特に本実施例に記載されているようなヒートポンプ式の洗濯乾燥機においては
、ヒートポンプ機構５０は外箱１内の底部に設置されている為、内部に侵入した水がかか
り故障の原因になるなどの問題も有していた。  
しかしながら、本実施例では、ベロー８に延出部８ｃを形成し、その延出部８ｃを投入
口枠６０の窪み部６２と外箱１に固着された取付枠６９とにより挟持して固定したため、
取付枠６９と投入口枠６０の窪み部６２との間に隙間が形成されず、密着させることがで
きるため、扉５と投入口枠６０の隙間に入った水などが、ベロー８と窪み部６２との間か
ら外箱１内に侵入することを防止できる。
【００４１】
特に圧縮機５３は、防水を特に要する要素部品である為、通常水がかからない扉５から
離れた外箱１内の後方位置に設けなくてはならないが、その容積の大きい要素部品である
（通常、凝縮器５２等に比して高さ方向に大きい）ことからヒートポンプ機構５０配置構
造が制限され、外箱１の容積が増えてしまう問題があったが、このような窪み部６２と外
箱１に固着された取付枠６９とにより挟持して固定した水密構造としたため圧縮機５３を
外箱１の前面１ａに向かって上昇傾斜する水槽６の下方前方に配置させることができ、水
槽６の下側の空間を効率的に使用することができるため、もってヒートポンプ機構５０の
効率的な配置が可能であり、外箱１の容積を小さくすることができる。またこの場合、洗
濯物投入口４の外側に、前面パネル２に比べ剛性の高い材料で形成した投入口枠６０を環
状に設けて投入口枠６０の割れから水の浸入を防止する構成によっても、圧縮機５３を水
槽６の下方前方に配置でき、もって外箱１の容積を小さくすることができる。
【００４２】
さらに従来のドラム式洗濯機（図６参照）では、開口部材１０４の後方にベロー１０６
を固定する挟持板１０９を設け、ベロー１０６を取付枠１０８との間で挟持しているが、
本実施例の構成では、窪み部６２と取付枠６９とをベロー８を介して直接固定した為、部
品が少なくすみ、製造コストが安くできるとともに、組み立ての工程を短縮できる。
【００４３】
また本実施例では、延出部８ｃを投入口枠６０の窪み部６２と固着された取付枠６９と
により挟持して、窪み部６２の前方からねじで延出部８ｃに形成されるねじ孔８ｄに挿通
した状態で取付枠６９のねじ孔６９ａにねじ止め固定したため、外箱１内への隙間が生ぜ
ず、従って確実に水の浸入を防止できる。
【００４４】
また窪み部６２有する投入口枠６０を前面パネル２に比べて線膨張率が小さい材料、例
えばＡＢＳで形成した為、ヒートポンプ式の洗濯乾燥機のようにドラム３０内に熱風を送
風する場合、特に本実施例のように熱風が水槽６の背面から水槽６の開口部に向かって流
れてベロー８に直接あたる場合でも、投入口枠６０は、膨張せず変形を抑えることができ
る為、窪み部６２と取付枠６９とをベロー８を介して直接固定しても、窪み部６２と取付
枠６９との隙間から水が浸入することを防止することができる。
【００４５】
また上記窪み部６２が有する投入口枠６０を、前面パネル２に比べて剛性の強い材料で
形成したため、強度が強くなり、上述したように窪み部６２と取付枠６９とをベロー８を
介して直接固定しても、より安定してベロー８を水密に固定することができ、従来例のよ
うな挟持板１０９を設ける必要がなく、部品が少なくすみ、製造コストが安くできるとと
もに、組み立ての工程を短縮できる。
【００４６】
なお、本実施例では、投入口枠６０の材料としてＡＢＳ樹脂を使用したが、ＰＯＭ樹脂
、またポリプロピレン樹脂をタルク配合やガラス繊維配合してフィラー強化した材料を使
用しても良い。  
なお、本実施例では、窪み部６２と鍔部６１とを一体に成形することにより投入口枠６
０を形成したが、別体にて形成しても良い。  
その他、本発明は上記実施例に限定されるものではなく、実施に際して本発明の要旨を
逸脱しない範囲で種々変更して実施できるものである。
【符号の説明】
【００４７】
図中、１は外箱、１ａは前面部、２は前面パネル、３は操作パネル、４は洗濯物投入口、
５は扉、６は水槽、６ａは水槽カバー、６ｂは開口部、６ｃは後端面部、７はサスペンシ
ョン、８はベロー、８ａは取付後部、８ｂは起立部、８ｃは延出部、８ｄはねじ孔、９は
ベローリング、１５はモータ、１６は給気口、１７は排水口、１８は排水弁、１９は排水
ホース、２０は可撓性ホース、２１は洗剤ケース、２２は給水装置、２３は給水口、３０
はドラム、３０ａはドラムカバー、３０ｂはドラム支え、３０ｃはドラムシャフト、３１
は孔、３２はバッフル、３３は洗濯物出入口、４０は排気口、４１は排気ダクト、４２は
可撓性ダクト、４３は乾燥ユニット用ダクト、４４はファンケーシング、４５は吐出口、
４６は可撓性ダクト、４７は給気ダクト、４８は循環送風路、４９は送風機、４９ａはフ
ァン、４９ｂはファンモータ、５０はヒートポンプ機構、５１は蒸発器、５２は凝縮器、
５３は圧縮機、６０は投入口枠、６１は鍔部、６２は窪み部、６３はヒンジ、６４はフッ
ク、６５はオープンボタン、６６は透視窓、６７は前面ガラス、６８は後面ガラス、６９
は取付枠、６９ａはねじ孔、１００は外箱、１０１は洗濯物投入口、１０２は扉、１０３
は前面パネル、１０４は開口部材、１０５は水槽、１０６はベロー、１０７は起立部、１
０８は取付枠、１０９は挟持板、を示す。
【図１】
0005450504.tif 000002
【図２】
0005450504.tif 000003
【図３】
0005450504.tif 000004
【図４】
0005450504.tif 000005
【図５】
0005450504.tif 000006
【図６】
0005450504.tif 000007